(57)【要約】【課題】本発明は、低コストで施工性の良い柱と梁の接合構造を提供する。【解決手段】柱１及び梁５ともに鉄筋コンクリート造より構成され、梁５は、側面近傍に頭部付き鉄筋よりなる第１の梁主筋６、内方にはフック鉄筋よりなる第２の梁主筋７が配置されている。このような構成の柱１と梁５の接合構造は、梁５を構成する第１の梁主筋６及び第２の梁主筋７の、柱１の側面に突き合わされる側の端部が、柱１の内方に位置するように配設されることにより、柱１の梁５との接合部分に打設された繊維補強コンクリート１０に埋設されて、柱１と梁５が接合される構成となっている。このとき、梁５の第１の梁主筋６及び第２の梁主筋７は、柱１の内方への配設長さが短く配設されており、柱１の側方から見ると、第１の梁主筋６及び第２の梁主筋７の柱１の内方への配設長さは、柱１の断面の約中間部程度にとどまるよう配設されている。【選択図】　図７
2004092051.tif 000002
【特許請求の範囲】
【請求項１】
末端部に拡径部を有する頭部付き鉄筋よりなり、水平方向に平行となるように離間配置される対をなす第１の梁主筋、
及び該第１の梁主筋と同様の頭部付き鉄筋よりなり、対をなす該第１の梁主筋の間でこれらと平行となるように複数が離間配置される第２の梁主筋が、
上端面近傍及び下端面近傍の両者に鉛直方向で同軸となるように備えられる鉄筋コンクリート造の梁と、
鉄筋コンクリート造の柱を備えた構造物の柱と梁の接合構造であって、
前記柱の側面に突き合わされる側の前記梁の第１の梁主筋及び第２の梁主筋の端部が、柱の内方に配設される状態でコンクリートに埋設されて柱と梁が接合されており、
前記梁を構成する第１の梁主筋及び第２の梁主筋の、前記柱の内方に配される長さが、何れか一方を柱の断面の略全長に達する長さ、他方を柱の断面の略中間部に達する長さとすることを特徴とする柱と梁の接合構造。
【請求項２】
請求項１に記載の柱と梁の接合構造において、
前記梁が、前記梁の対をなす第１の梁主筋の何れか一方とこれと隣り合う第２の梁主筋との離間間隔が、他方の第１の梁主筋とこれと隣り合う第２の梁主筋との離間間隔と比較して小さく形成された上で、第２の梁主筋どうしは所定の間隔をもって離間配置されており、
該梁と平面視で１８０度回転した梁とが、柱を挟んで隣り合うように対をなして同軸上に配置されており、
前記柱の内方には、対をなす梁の第１の梁主筋の端部どうしが向かい合わされて配設されるとともに、
第２の梁主筋の端部どうしが、差し違え配列を形成するように配設されることを特徴とする柱と梁の接合構造。
【請求項３】
請求項１または２に記載の柱と梁の接合構造において、
前記第１の梁主筋及び第２の梁主筋の端部を埋設するコンクリートには、繊維補強コンクリートが用いられていることを特徴とする柱と梁の接合構造。
【請求項４】
請求項２に記載の柱と梁の接合構造において、
前記第２の梁鉄筋には、末端部が直線上の直線鉄筋が用いられるとともに、
前記梁の第１の梁主筋及び第２の梁主筋の端部を埋設するコンクリートには、繊維補強コンクリートが用いられることを特徴とする柱と梁の接合構造。
【請求項５】
末端部に拡径部を有する頭部付き鉄筋よりなり、水平方向に平行となるように離間配置される対をなす第１の梁主筋、
及び末端部が折り曲げられたフック鉄筋よりなり、対をなす該第１の梁主筋の間でこれらと平行となるように複数が離間配置される第２の梁主筋が、
上端面近傍及び下端面近傍の両者に鉛直方向で同軸となるように備えられる鉄筋コンクリート造の梁と、
鉄筋コンクリート造の柱を備えた構造物の柱と梁の接合構造であって、
前記柱の側面に突き合わされる側の前記梁の第１の梁主筋及び第２の梁主筋の端部が、柱の内方で断面の略中間部まで配設される状態で、繊維補強コンクリートに埋設されて柱と梁が接合されることを特徴とする柱と梁の接合構造。
【請求項６】
請求項５に記載の柱と梁の接合構造において、
前記梁が、柱を挟んで隣り合うように対をなして同軸上に配置されており、
前記柱の内方には、対をなす梁の第１の梁主筋の端部どうし及び第２の梁主筋の端部どうしが向かい合わされて配設されることを特徴とする柱と梁の接合構造。
【発明の詳細な説明】
【０００１】
【発明の属する技術分野】
本発明は、低コストで施工性の良い柱と梁の接合構造に関する。
【０００２】
【従来の技術】
従来より、鉄筋コンクリート造の柱１３及び梁１１は、図８（ａ）に示すように梁１１を構成する主筋１２の端部が、前記柱１３の内方に配設された上で柱１３を構成するコンクリート１４に埋設されることにより、両者は接合されている。ここで用いられる前記梁１１の主筋１２には、前記コンクリート１４との定着強度を高めることを目的に、図８（ｂ）に示すように、末端部１２ａが折り曲げられたフック鉄筋や、拡径部が設けられる頭部付き鉄筋が用いられている。
【０００３】
【発明が解決しようとする課題】
これら梁１１の主筋１２の端部は、柱１３の断面のほぼ全長にわたる長さまで配設される構成であるため、柱１３の配筋が煩雑となりやすい。しかし、前記主筋１２の端部１２ａにおける柱１３の内方に配設される長さ、つまり主筋１２の端部１２ａのコンクリート１４への定着長さを、柱１３の断面のほぼ全長にわたる長さから、柱１３の断面の約半分程度に短くとると、定着部の脆性的な破壊、例えば掻き出し破壊やコーン破壊を誘発しやすいため、梁１１を構成する主筋１２すべての定着長さを前記柱１３の断面の約半分程度にとどめて、配筋を簡略化することは困難であった。
【０００４】
上記事情に鑑み、本発明は、低コストで施工性の良い柱と梁の接合構造を提供することを目的としている。
【０００５】
【課題を解決するための手段】
請求項１記載の柱と梁の接合構造は、末端部に拡径部を有する頭部付き鉄筋よりなり、水平方向に平行となるように離間配置される対をなす第１の梁主筋、及び該第１の梁主筋と同様の頭部付き鉄筋よりなり、対をなす該第１の梁主筋の間でこれらと平行となるように複数が離間配置される第２の梁主筋が、上端面近傍及び下端面近傍の両者に鉛直方向で同軸となるように備えられる鉄筋コンクリート造の梁と、鉄筋コンクリート造の柱を備えた構造物の柱と梁の接合構造であって、前記柱の側面に突き合わされる側の前記梁の第１の梁主筋及び第２の梁主筋の端部が、柱の内方に配設される状態でコンクリートに埋設されて柱と梁が接合されており、前記梁を構成する第１の梁主筋及び第２の梁主筋の、前記柱の内方に配される長さが、何れか一方を柱の断面の略全長に達する長さ、他方を柱の断面の略中間部に達する長さとすることを特徴としている。
【０００６】
請求項２記載の柱と梁の接合構造は、前記梁が、前記梁の対をなす第１の梁主筋の何れか一方とこれと隣り合う第２の梁主筋との離間間隔が、他方の第１の梁主筋とこれと隣り合う第２の梁主筋との離間間隔と比較して小さく形成された上で、第２の梁主筋どうしは所定の間隔をもって離間配置されており、該梁と平面視で１８０度回転した梁とが、柱を挟んで隣り合うように対をなして同軸上に配置されており、前記柱の内方には、対をなす梁の第１の梁主筋の端部どうしが向かい合わされて配設されるとともに、第２の梁主筋の端部どうしが、差し違え配列を形成するように配設されることを特徴としている。
【０００７】
請求項３記載の柱と梁の接合構造は、前記第１の梁主筋及び第２の梁主筋の端部を埋設するコンクリートには、繊維補強コンクリートが用いられていることを特徴としている。
【０００８】
請求項４記載の柱と梁の接合構造は、前記第２の梁鉄筋には、末端部が直線上の直線鉄筋が用いられるとともに、前記梁の第１の梁主筋及び第２の梁主筋の端部を埋設するコンクリートには、繊維補強コンクリートが用いられることを特徴としている。
【０００９】
請求項５記載の柱と梁の接合構造は、末端部に拡径部を有する頭部付き鉄筋よりなり、水平方向に平行となるように離間配置される対をなす第１の梁主筋、及び末端部が折り曲げられたフック鉄筋よりなり、対をなす該第１の梁主筋の間でこれらと平行となるように複数が離間配置される第２の梁主筋が、上端面近傍及び下端面近傍の両者に鉛直方向で同軸となるように備えられる鉄筋コンクリート造の梁と、鉄筋コンクリート造の柱を備えた構造物の柱と梁の接合構造であって、前記柱の側面に突き合わされる側の前記梁の第１の梁主筋及び第２の梁主筋の端部が、柱の内方で断面の略中間部まで配設される状態で、繊維補強コンクリートに埋設されて柱と梁が接合されることを特徴としている。
【００１０】
請求項６記載の柱と梁の接合構造は、前記梁が、柱を挟んで隣り合うように対をなして同軸上に配置されており、前記柱の内方には、対をなす梁の第１の梁主筋の端部どうし及び第２の梁主筋の端部どうしが向かい合わされて配設されることを特徴としている。
【００１１】
【発明の実施の形態】
以下、本発明の柱と梁の接合構造を図１から図７に示す。本発明は、鉄筋コンクリート造の柱と梁の接合に際し、梁を構成する主筋について、側面近傍に配置されている第１の梁主筋に頭部付き鉄筋を用いるとともに、第１の梁主筋もしくは第２の梁主筋の何れか一方の端部が柱の断面の略中間部に達する程度に配設し、これらを埋設するコンクリートには繊維コンクリートを用いることにより、鉄筋量を減少させ、配筋を簡略化させるものである。
【００１２】
（第１の実施の形態）
図１に示すように、構造物を構成する柱１は、鉛直軸方向に立設される複数の柱主筋２と、該柱主筋２を取り囲むように所定のピッチで配される帯筋３とを籠状に組み立てた上で、コンクリート４を打設した鉄筋コンクリート造により構成される。
また、構造物を構成する梁５は、水平軸方向に配設される第１の梁主筋６及び第２の梁主筋７と、該第１の梁主筋６及び第２の梁主筋７を取り囲むように所定のピッチで配されるあばら筋８を籠状に組み立て、コンクリート９を打設した鉄筋コンクリート造により構成される。該第１の梁主筋６及び第２の梁主筋７はともに、末端部に拡径部を設けられた頭部付き鉄筋が用いられており、第１の梁主筋６は、対をなして水平方向で平行に離間配置され、第２の梁主筋７は、対をなす第１の梁主筋６の間でこれらと平行となるように、複数本が所定の間隔をもって離間配置されている。このように配設された該第１の梁主筋６及び第２の梁主筋７の組み合わせは、前記梁５の上端面近傍及び下端面近傍の各々に、鉛直軸方向で同軸に位置するように配置されている。したがって、前記梁５の側面近傍には第１の梁主筋６、内方には第２の梁主筋７が配置される構成となっている。
【００１３】
このような構成の前記柱１と梁５の接合構造は、前記梁５を構成する第１の梁主筋６及び第２の梁主筋７の、柱１の側面に突き合わされる側の端部が、柱１の内方に位置するように配設されることにより、柱１のコンクリート４に定着されて、柱１と梁５が接合される構成となっている。このとき、図１（ａ）に示すように、前記梁５の第１の梁主筋６と第２の梁主筋７とでは、柱１のコンクリート４への定着長さが異なるように配設されており、第１の梁主筋６の端部が、第２の梁主筋７と比較して短い構成となっている。前記柱１の側方から見ると、図１（ｃ）に示すように、第２の梁主筋７の定着長さは柱１の断面のほぼ全長に至っているものの、第１の梁主筋６の定着長さは、図１（ｂ）に示すように、柱１の断面の約中間部程度にとどまるよう配設されている。
なお、第１の梁主筋６及び第２の梁主筋７のコンクリート４への定着長さは、これに限るものではなく、第１の梁主筋６の定着長さが柱１の断面のほぼ全長にわたり、第２の梁主筋７が柱１の断面の約中間部程度にとどまるよう配設されてもよい。
【００１４】
上述する構成によれば、柱１と梁５の接合構造は、柱１と接合する側の前記梁５を構成する第１の梁主筋６の端部を、柱１の内方に配設する際に、第１の梁主筋６は、柱１の断面の約中間部程度にとどまるよう配設する一方で、第２の梁主筋７は柱１の断面のほぼ全長に至るように配設することから、第１の梁主筋６におけるコンクリート４への定着長さが短くとも、前記柱１と梁５の接合部近傍に脆性的な破壊が生じることを防止することが可能となる。
また、第１の梁主筋６は、その端部が柱１の断面の約中間部程にとどまるよう配設されることから、構造物全体を総じて見ると、鉄筋量を大幅に削減することが可能となり、コスト削減に大きく寄与することが可能となる。
さらに、第１の梁主筋６及び第２の梁主筋７に対して、頭部付き鉄筋を用いていることから、一般に用いられるフック鉄筋等と比較してコンクリート４への定着強度を高めることが可能になるとともに、柱１と梁５の接合構造を側方から見ると、図１（ｂ）（ｃ）に示すように、接合部の断面が簡素化されており、配筋がさらに容易で施工性を向上することが可能となる。
【００１５】
本実施の形態では、例えば構造物の外周部等で見られるような、柱１の向かい合う側面の一方にのみ梁５が接合される場合の柱１と梁５の接合構造を例に挙げて、前記梁５の内方に配設される第２の梁主筋７の定着長さを、従来と同様の柱１の断面のほぼ全長とし、梁５の側面近傍に配置されている第１の梁主筋６の定着長さを柱１の断面の約中間部程度として、第２の梁主筋７と比較して短く配設する構成を示した。次に、例えば構造物の内部等で見られるような、柱１の向かい合う側面の両者各々に梁５が接合される場合の、柱１と梁５の接合構造を図２を用いて詳述する。
【００１６】
（第２の実施の形態）
図２（ａ）に示すように、前記柱１及び梁５、５ａは、第１の実施の形態と同様の鉄筋コンクリート造よりなり、梁５、５ａが、柱１を挟んで隣り合うように、同軸上に対をなして配置されている。これら対をなす梁５、５ａは、第１の実施の形態と同様に、第１の梁主筋６が、対をなして水平方向で平行に離間配置され、第２の梁主筋７は、対をなす第１の梁主筋６の間でこれらと平行となるように、複数本が離間配置されており、これら第１の梁主筋６及び第２の梁主筋７の組み合わせは、前記梁５、５ａの上端面近傍及び下端面近傍の各々に、鉛直軸状で同軸となるように配置されている。また、第１の梁主筋６の端部は、柱１の断面の約中間部程度に配設されるよう長さが確保されている一方で、第２の梁主筋７は、柱１の断面のほぼ全長に至るように配設される長さが確保されている。
しかし、対をなす第１の梁主筋６の間に配された複数の第２の梁主筋７は、何れか一方の第１の梁主筋６と隣り合う第２の梁主筋７との離間間隔Ｌ１を、他方の第１の梁主筋６と隣り合う第２の梁主筋７との離間間隔Ｌ２と比較して小さくとった上で、第２の梁主筋７どうしは所定の間隔をもって離間配置されている。
【００１７】
これら第１の梁主筋６及び第２の梁主筋７が備えられた梁５は、その端部を柱１の一方の側面に突き合わせるとともに、これと向かい合う他方の側面には、前記梁５を平面視で１８０度回転された梁５ａが端部を突き合わされることにより、前記梁５、５ａは、柱１を挟んで隣り合うように対をなして配されることとなる。このような構成は、柱１を挟んで対をなす梁５、５ａの第１の梁主筋６の端部どうしが、図２（ｂ）に示すように向かい合うものの、第２の梁主筋７の端部どうしは、図２（ｃ）に示すように向かい合うことなく所定の距離（離間間隔Ｌ２−離間間隔Ｌ１）をもって常に差し違いに配列されるものである。これにより、前記柱１の内方では、対をなす梁５、５ａの第１の梁主筋６の端部どうしが、向かい合わされるようにして配設されるとともに、第２の梁主筋７の端部どうしは、あき重ね継ぎ手が形成され、これに前記柱１のコンクリート４が打設されることにより、柱１と梁５は接合されることとなる。
【００１８】
上述する構成によれば、前記柱１の内方では、対をなす梁５の側面近傍に配される第１の梁主筋６の端部どうしが、向かい合わされるようにして配設されるとともに、対をなす梁５の内方に配される第２の梁主筋７の端部どうしは、差し違い配列を形成するようにして配設されることから、対をなす梁５、５ａの第１の梁主筋６の端部どうしを向かい合わさて配筋することにより、第２の梁主筋７どうしはあき重ね継ぎ手が形成されることとなり、柱１を挟んで隣り合う梁５どうしは位置をずらすことなく対向して配置することができるため、配筋作業が容易で施工性が向上するとともに、鉄筋継ぎ手を大幅に削減することが可能であるため、コストを大幅に削減することが可能となる。
【００１９】
ところで、前記梁５の柱１への応力伝達は、柱１の内方に配設した第１の梁主筋６及び第２の梁主筋７の端部における直線部分のコンクリート４への付着と、末端部分の支圧作用によって行われる。このうち、第１の梁主筋６及び第２の梁主筋７の端部における直線部分のコンクリート４への付着による応力伝達は、定着部の付着割裂が生じやすい。このような現象に対応すべく、第１の梁主筋６及び第２の梁主筋７の端部が配設される柱１の梁５との接合部分に繊維補強コンクリート１０を用いた事例を第３の実施の形態に示す。
【００２０】
（第３の実施の形態）
図３は、第１の実施の形態で示したものと同様の柱１と梁５を用いて、柱１の向かい合う側面の一方に梁５を接合するものであり、これらの接合構造には、梁５の第１の梁主筋６及び第２の梁主筋７の端部が配設される柱１の梁５との接合部分にのみ、柱１を構成するコンクリート４に代わり、繊維補強コンクリート１０を用いたものである。また、図４は、第２の実施の形態で示したものと同様の柱１と梁５、５ａを用いて、柱１の向かい合う側面の両者に梁５、５ａを同軸上に配置した上で接合するものであり、これらの接合構造にも同様に、梁５、５ａの第１の梁主筋６及び第２の梁主筋７の端部が配設される柱１の梁５、５ａとの接合部分にのみ、柱１を構成するコンクリート４に代わり、繊維補強コンクリート１０を用いたものである。
【００２１】
前記繊維補強コンクリート１０は、金属または合成樹脂を原料とした短繊維材料を混入したもので、主要な繊維材料としては、鋼繊維、ガラス繊維、ポリエチレン繊維、ポリプロピレン繊維、アラミド繊維、炭素繊維等何れを用いても良いが、本実施の形態では鋼繊維を用いている。繊維補強コンクリート１０は、引張強度、曲げ強度、耐衝撃性、靱性、付着性能などに対して通常のコンクリートと比較して大幅な改善を図ったものであり、本発明では、この優れた付着性能を利用して、柱１の梁５、５ａとの接合部分に、繊維補強コンクリート１０を適用し、梁５、５ａの第１の梁主筋６及び第２の梁主筋７の端部の付着割裂強度を高めるものである。
【００２２】
上述する構成によれば、柱１と梁５及び柱１と梁５、５ａの接合構造は、梁５、５ａの第１の梁主筋６及び第２の梁主筋７の端部を柱１の内方に配設し、柱１の梁５、５ａとの接合部分にのみ、コンクリート４に代わり繊維補強コンクリート１０を用いてこれらを埋設することにより柱１と梁５を接合するため、繊維補強コンクリート１０の付着性能により、第１の梁主筋６及び第２の梁主筋７の周囲に生じやすいひび割れ拡大を防止することが可能となるとともに、付着割裂強度を高めることが可能となる。
【００２３】
先にも述べたように、梁５の柱１への応力伝達は、柱１の内方に配設した第１の梁主筋６及び第２の梁主筋７の端部における直線部分の繊維補強コンクリート１０への付着、及び末端部分の支圧作用によって行われる。本実施の形態では、柱１と梁５の接合構造に繊維補強コンクリート１０を用いることにより、第１の梁主筋６及び第２の梁主筋７の端部における直線部分の繊維補強コンクリート１０への付着がより強化されることとなるため、例えば、第１の梁主筋６及び第２の梁主筋７の端部の両者に対して、柱１への配設長さをより短くすること可能となる。
また、梁５の内方に配される第２の梁主筋７に対して、第１から第３の実施の形態で採用した頭部付き鉄筋と比較して付着強度の劣るような、末端部に折り曲げ部を有するフック鉄筋や、末端部に細工を有しない直線鉄筋等を用いることも可能となる。第４の実施の形態及び第５の実施の形態では、柱１と梁５の接合構造に繊維補強コンクリート１０を適用した上で、第２の梁主筋７に頭部付き鉄筋と異なる鉄筋を用いた場合の他の事例を示す。
【００２４】
（第４の実施の形態）
図５（ｂ）（ｃ）に示すように、前記柱１及び梁５、５ａは、第２の実施の形態と同様の鉄筋コンクリート造よりなるが、梁５、５ａの第１の梁主筋６には頭部付き鉄筋、第２の梁主筋７には末端部が直線上の直線鉄筋を用いている。
また、図５（ａ）に示すように、対をなす第１の梁主筋６の間に配された複数の第２の梁主筋７は、何れか一方の第１の梁主筋６と隣り合う第２の梁主筋７との離間間隔Ｌ１を、他方の第１の梁主筋６と隣り合う第２の梁主筋７との離間間隔Ｌ２と比較して小さくとった上で、第２の梁主筋７どうしは所定の間隔をもって離間配置されている。これら第１の梁主筋６及び第２の梁主筋７が備えられた梁５は、その端部を柱１の一方の側面に突き合わせるとともに、これと向かい合う他方の側面には、前記梁５を平面視で１８０度回転された梁５ａが端部を突き合わされることにより、前記梁５、５ａは、柱１を挟んで隣り合うように対をなして配される。
【００２５】
このような構成は、柱１を挟んで対をなす梁５、５ａの第１の梁主筋６の端部どうしが図５（ｂ）に示すように向かい合うものの、第２の梁主筋７の端部どうしは、図５（ｃ）に示すように向かい合うことなく所定の距離（離間間隔Ｌ２−離間間隔Ｌ１）をもって常に差し違いに配列されるものである。これにより、前記柱１の内方では、対をなす梁５、５ａの第１の梁主筋６の端部どうしが、向かい合わされるようにして配設されるとともに、第２の梁主筋７の端部どうしは、あき重ね継ぎ手が形成され、これに前記柱１の繊維補強コンクリート１０が打設されることにより、柱１と梁５は接合されることとなる。
【００２６】
上述する構成によれば、柱１と梁５の接合構造に繊維補強コンクリート１０を適用する構成としたことから、第２の梁主筋７に直線鉄筋を用いることが可能となり、配筋が容易で施工性を向上することが可能となるとともに、第２の梁主筋７の末端部への加工を行う必要がないため、工費削減、工期短縮に大きく寄与することが可能となる。
【００２７】
（第５の実施の形態）
図６（ｂ）（ｃ）に示すように、前記柱１及び梁５は、第１の実施の形態と同様の構成による鉄筋コンクリート造よりなるが、第１の梁主筋６が頭部付き鉄筋、第２の梁主筋７が端部を折り曲げたフック鉄筋が用いられている。このような構成の前記柱１と梁５の接合構造は、前記梁５を構成する第１の梁主筋６及び第２の梁主筋７の、柱１の側面に突き合わされる側の端部が、柱１の内方に位置するように配設されることにより、柱１の梁５との接合部分に打設された繊維補強コンクリート１０に埋設されて、柱１と梁５が接合される構成となっている。このとき、図６（ａ）に示すように、前記梁５の第１の梁主筋６及び第２の梁主筋７の両者は、柱１の内方への配設長さが短く配設されており、前記柱１の側方から見ると、第１の梁主筋６及び第２の梁主筋７の柱１の内方への配設長さは、図６（ｂ）（ｃ）に示すように、柱１の断面の約中間部程度にとどまるよう配設されている。
【００２８】
また、図７では、上述する梁５が、柱１を挟んで隣り合うように、同軸上に対をなして配置される例を示している。これらの第１の梁主筋６及び第２の梁主筋７は、互いの端部同士が柱の断面の中間部近傍で向かい合わせとなるように、柱１の内方に配設され、これに繊維補強コンクリート１０が打設されることにより、柱１と梁５は接合されることとなる。
【００２９】
上述する構成によれば、前記梁５が、柱１を挟んで隣り合うように、同軸上に対をなして配置される際に、これらの第１の梁主筋６及び第２の梁主筋７は、互いの端部同士が柱の断面の中間部近傍で向かい合わせとなるように、柱１の内方に配設されることから、配設を簡素化でき施工性を向上することが可能になるとともに、建築物を総じて見ると鉄筋量を大幅に削減することができ、工費を大幅に削減することが可能になる。
【００３０】
【発明の効果】
請求項１記載の柱と梁の接合構造によれば、末端部に拡径部を有する頭部付き鉄筋よりなり、水平方向に平行となるように離間配置される対をなす第１の梁主筋、及び該第１の梁主筋と同様の頭部付き鉄筋よりなり、対をなす該第１の梁主筋の間でこれらと平行となるように複数が離間配置される第２の梁主筋が、上端面近傍及び下端面近傍の両者に鉛直方向で同軸となるように備えられる鉄筋コンクリート造の梁と、鉄筋コンクリート造の柱を備えた構造物の柱と梁の接合構造であって、前記柱の側面に突き合わされる側の前記梁の第１の梁主筋及び第２の梁主筋の端部が、柱の内方に配設される状態でコンクリートに埋設されて柱と梁が接合されており、前記梁を構成する第１の梁主筋及び第２の梁主筋の、前記柱の内方に配される長さが、何れか一方を柱の断面の略全長に達する長さ、他方を柱の断面の略中間部に達する長さとすることから、第１の梁主筋及び第２の梁主筋の何れか一方の、コンクリートへの定着長さが短くとも、他方は柱の断面の略全長に達する長さに配されることから、前記柱と梁の接合部近傍に脆性的な破壊が生じること防止することが可能となる。
また、第１の梁主筋及び第２の梁主筋の何れか一方の端部が柱の断面の約中間部程度にとどまるよう配設されることから、構造物全体を総じて見ると、鉄筋量を大幅に削減することが可能となり、コスト削減に大きく寄与することが可能とさらに、第１の梁主筋及び第２の梁主筋に対して、頭部付き鉄筋を用いていることから、一般に用いられるフック鉄筋等と比較してコンクリートへの定着強度を高めることが可能になるとともに、柱と梁の接合構造を側方から見ると、接合部の断面が簡素化されており、配筋がさらに容易で施工性を向上することが可能となる。
【００３１】
請求項２記載の柱と梁の接合構造によれば、前記梁が、前記梁の対をなす第１の梁主筋の何れか一方とこれと隣り合う第２の梁主筋との離間間隔が、他方の第１の梁主筋とこれと隣り合う第２の梁主筋との離間間隔と比較して小さく形成された上で、第２の梁主筋どうしは所定の間隔をもって離間配置されており、該梁と平面視で１８０度回転した梁とが、柱を挟んで隣り合うように対をなして同軸上に配置されており、前記柱の内方には、対をなす梁の第１の梁主筋の端部どうしが向かい合わされて配設されるとともに、第２の梁主筋の端部どうしが、差し違え配列を形成するように配設されることから、対をなす梁の第１の梁主筋の端部どうしを向かい合わさて配筋することにより、第２の梁主筋どうしはあき重ね継ぎ手が形成されることとなり、柱を挟んで隣り合う梁どうしは位置をずらすことなく対向して配置することができるため、配筋作業が容易で施工性が向上するとともに、鉄筋継ぎ手を大幅に削減することが可能であるため、コストを大幅に削減することが可能となる。
【００３２】
請求項３記載の柱と梁の接合構造によれば、前記第１の梁主筋及び第２の梁主筋の端部を埋設するコンクリートには、繊維補強コンクリートが用いられていることから、繊維補強コンクリートの付着性能により、第１の梁主筋及び第２の梁主筋の周囲に生じやすいひび割れ拡大を防止することが可能となるとともに、付着割裂強度を高めることが可能となる。
【００３３】
また、柱と梁の接合構造に繊維補強コンクリートを用いることにより、第１の梁主筋及び第２の梁主筋の端部における直線部分の繊維補強コンクリートへの付着がより強化されることとなるため、第１の梁主筋及び第２の梁主筋の端部の両者に対して、柱への配設長さをより短くすること可能となる。
また、梁の内方に配される第２の梁主筋に対して、末端部に折り曲げ部を有するフック鉄筋や、末端部に細工を有しない直線鉄筋を用いることも可能となる。
【００３４】
請求項４記載の柱と梁の接合構造によれば、前記第２の梁鉄筋には、末端部が直線上の直線鉄筋が用いられるとともに、前記梁の第１の梁主筋及び第２の梁主筋の端部を埋設するコンクリートには、繊維補強コンクリートが用いられることから、配筋が容易で施工性を向上することが可能となるとともに、第２の梁主筋の末端部への加工を行う必要がないため、工費削減、工期短縮に大きく寄与することが可能となる。
【００３５】
請求項５、６記載の柱と梁の接合構造によれば、末端部に拡径部を有する頭部付き鉄筋よりなり、水平方向に平行となるように離間配置される対をなす第１の梁主筋、及び末端部が折り曲げられたフック鉄筋よりなり、対をなす該第１の梁主筋の間でこれらと平行となるように複数が離間配置される第２の梁主筋が、上端面近傍及び下端面近傍の両者に鉛直方向で同軸となるように備えられる鉄筋コンクリート造の梁と、鉄筋コンクリート造の柱を備えた構造物の柱と梁の接合構造であって、前記柱の側面に突き合わされる側の前記梁の第１の梁主筋及び第２の梁主筋の端部が、柱の内方で断面の略中間部まで配設される状態で、繊維補強コンクリートに埋設されて柱と梁が接合される。
また、前記梁が、柱を挟んで隣り合うように対をなして同軸上に配置されており、前記柱の内方には、対をなす梁の第１の梁主筋の端部どうし及び第２の梁主筋の端部どうしが向かい合わされて配設されることから、配設を簡素化でき施工性を向上することが可能になるとともに、建築物を総じて見ると鉄筋量を大幅に削減することができ、工費を大幅に削減することが可能となる。
【図面の簡単な説明】
【図１】本発明の柱と梁の接合構造を示す図である。
【図２】本発明の柱を挟んで向かい合う両側面に梁が配置される場合の柱と梁の接合構造を示す図である。
【図３】本発明の繊維補強コンクリートを適用した場合の柱と梁の接合構造を示す図である。
【図４】本発明の繊維補強コンクリートを適用した場合の柱と梁の接合構造の他の事例を示す図である。
【図５】本発明の繊維補強コンクリートを適用し、梁の第２の梁主筋に直線鉄筋を用いた場合の柱と梁の接合構造を示す図である。
【図６】本発明の繊維補強コンクリートを適用し、梁の第２の梁主筋にフック鉄筋を用いた場合の柱と梁の接合構造を示す図である。
【図７】本発明の繊維補強コンクリートを適用し、梁の第２の梁主筋にフック鉄筋を用いた場合の柱と梁の接合構造の他の事例を示す図である。
【図８】従来の柱と梁の接合構造を示す図である。
【符号の説明】
１　柱
２　主筋
３　帯筋
４　コンクリート
５　梁
６　第１の梁主筋
７　第２の梁主筋
８　あばら筋
９　コンクリート
１０　繊維補強コンクリート
１１　梁
１２　主筋
１３　柱
１４　コンクリート
【図１】
2004092051.tif 000003
【図２】
2004092051.tif 000004
【図３】
2004092051.tif 000005
【図４】
2004092051.tif 000006
【図５】
2004092051.tif 000007
【図６】
2004092051.tif 000008
【図７】
2004092051.tif 000009
【図８】
2004092051.tif 000010